(57)【要約】      （修正有）【課題】既設の自動販売機に対して容易に着脱可能に設置できると共に強固に取り付けることができる安全な広告体取り付け具を提供する。【解決手段】自動販売機の上面に設置される支持枠体２と、前記自動販売機の左右側面と底面とに掛け渡される固定枠体３とからなり、前記支持枠体には、前記自動販売機の上部裏面にネジによって着脱自在に固定するための固定金具が設けられ、更に、前記支持枠体には、その左右方向に長さ調節自在に位置固定できる連結部材が夫々ネジにより固定されており、前記連結部材の外端部に、前記固定枠体が連結解除自在に連結固定されている。【選択図】図１
0003163083.tif 000002
【実用新案登録請求の範囲】
【請求項１】
自動販売機の上に広告体（１）を設けるために用いる広告体取り付け具であって、
前記広告体（１）を設けるために前記自動販売機の上面に設置される支持枠体（２）と、
前記自動販売機の左右側面と底面とに掛け渡される固定枠体（３）とからなり、
前記支持枠体（２）には、前記自動販売機の上部裏面にネジ（５Ａ）によって着脱自在に固定するための固定金具（４）が設けられ、
更に、前記支持枠体（２）には、その左右方向に長さ調節自在に位置固定できる連結部材（６），（６）が夫々ネジ（５Ｂ）により固定されており、
前記連結部材（６），（６）の外端部に、前記固定枠体（３）が連結解除自在に連結固定されている、
ことを特徴とする自動販売機用の広告体取り付け具。
【請求項２】
前記固定枠体（３）は、前記自動販売機の左右方向に伸びて底面に接当する底部支持部材（３Ａ）と、この自動販売機の左右側面に接当する側面部材（３Ｂ），（３Ｂ）とからなり、該側面部材（３Ｂ），（３Ｂ）は、前記支持枠体（２）と底部支持部材（３Ａ）との連結状態を調節する調節機構（７）を備えていることを特徴とする請求項１に記載の自動販売機用の広告体取り付け具。
【請求項３】
前記支持枠体（２）と前記連結部材（６），（６）とはスライド自在に嵌合される構造とされており、自動販売機の幅に合わせた任意の位置でネジ（５Ｂ）により位置固定されるように構成されている請求項１又は請求項２に記載の自動販売機用の広告体取り付け具。
【考案の詳細な説明】
【技術分野】
【０００１】  本考案は、自動販売機用の広告体取り付け具に関し、詳しくは、自動販売機の上に設置する公告体を取り付け、固定するための広告体取り付け具に関する。
【背景技術】
【０００２】  自動販売機は、それ自体、飲料水やタバコ、その他の小型物品を自動的に購入できる機能を有するが、それ故に、購買者が常にその存在、設置に注目しているものであり、街中（野外）は勿論、屋内設置であっても注目度が高い。
従って、自動販売機に広告媒体としての価値が存在するのであり、これに注目して、自動販売機を一種の広告塔として利用することが提案されている。【０００３】  本考案者も、自動販売機の上に設置する広告体を既に提案している。こうした自動販売機の上に設置する広告体は、その設置手段に工夫が必要であり、単に自動販売機の上部に載置するだけでは、倒れてしまう虞があり、また、風の影響を受けることで飛ばされてしまう事態も生じる。
【先行技術文献】
【特許文献】
【０００４】
【特許文献１】実用新案登録第３１４９３７２号
【考案の概要】
【考案が解決しようとする課題】
【０００５】  自動販売機は、既存のものであり、広告体は、別途構成されたものであるから、自動販売機に対して設置しなければならず、自動販売機のサイズについても、種々のものが存在するので、適宜設置可能な取り付け手段のものでなければならない。
上記特許文献１では、広告体を自動販売機の上部に載置させるサイズに構成すると共にその底部に重量のある底板を供え、載置したときに容易に倒伏しないように構成したものである。【０００６】  しかし、このような重量ある底板を備えると、取り扱い、運搬に不便であると共に自動車等の継続した振動、微震などにより位置ずれを来たし、万一倒伏落下した場合には非常に危険である。
本考案は、かかる現状に鑑み、既設の自動販売機に対して容易に着脱可能に設置できると共に強固に取り付けることができる安全な広告体取り付け具を提供することを目的とする。
【課題を解決するための手段】
【０００７】  本考案にかかる自動販売機用の広告体取り付け具は、上記目的を達成するために、請求項１に記載の通り、自動販売機の上に広告体（１）を設けるために用いる広告体取り付け具であって、前記広告体（１）を設けるために前記自動販売機の上面に設置される支持枠体（２）と、前記自動販売機の左右側面と底面とに掛け渡される固定枠体（３）とからなり、前記支持枠体（２）には、前記自動販売機の上部裏面にネジ（５）によって着脱自在に固定するための固定金具（４）が設けられ、更に、前記支持枠体（２）には、その左右方向に長さ調節自在に位置固定できる連結部材（６），（６）が夫々ネジ（５）により固定されており、前記連結部材（６），（６）の外端部に、前記固定枠体（３）が連結解除自在に連結固定されている、という手段を講じたものである。【０００８】  本考案においては、請求項２に記載の通り、前記固定枠体（３）は、前記自動販売機の左右方向に伸びて底面に接当する底部支持部材（３Ａ）と、この自動販売機の左右側面に接当する側面部材（３Ｂ），（３Ｂ）とからなり、該側面部材（３Ｂ），（３Ｂ）は、前記支持枠体（２）と底部支持部材（３Ａ）との連結状態を調節する調節機構（７）を備えているのが好ましい。【０００９】  また、本考案においては、請求項３に記載の通り、前記支持枠体（２）と前記連結部材（６），（６）とはスライド自在に嵌合される構造とされており、自動販売機の幅に合わせた任意の位置でネジ（５Ｂ）により位置固定されるように構成されているのが好ましい。
【考案の効果】
【００１０】  請求項１に記載の本考案によれば、広告体取り付け具が、支持枠体と固定枠体とからなり、その支持枠体には、前記自動販売機の上部裏面にネジによって着脱自在に固定するための固定金具が設けられ、更に、前記支持枠体には、その左右方向に長さ調節自在に位置固定できる連結部材が夫々ネジにより固定されそのており、前記連結部材の外端部に、前記固定枠体が連結解除自在に連結固定されている構成とされているので、既存の自動販売機に対して容易に着脱可能に設置できると共に強固に取り付けることができる利点を有する。【００１１】  請求項２に記載の本考案によれば、前記固定枠体は、前記自動販売機の左右方向に伸びて底面に接当する底部支持部材と、この自動販売機の左右側面に接当する側面部材とからなり、該側面部材は、前記支持枠体と底部支持部材との連結状態を調節する調節機構を備えているので、前記支持枠体は、結果として底部支持部によって自動販売機の全体に固定されることになり、強固な固定状態が得られると共に前記調節機構の存在によって、前記側面部材の長さを調節できることで、底部支持部材に対する支持枠体の緊締状態を調整できるのであり、サイズ変化のある自動販売機に対しても確実に固定できる利点がある。【００１２】  請求項３に記載の本考案によれば、前記支持枠体と前記連結部材とはスライド自在に嵌合される構造とされており、自動販売機の幅に合わせた任意の位置でネジにより位置固定されるように構成されているので、幅の異なる自動販売機に対しても、前記支持枠体の自動販売機に対する固定状態を確実に強固に行うことができる利点がある。
【図面の簡単な説明】
【００１３】
【図１】本考案の自動販売機用の広告体取り付け具を設置した状態の全体を示す正面図。
【図２】その側面図。
【図３】その広告体部の背面図。
【図４】その取り付け要部の拡大図。
【図５】そのスライド嵌合部の拡大縦断側面図。
【考案を実施するための形態】
【００１４】  本考案にかかる自動販売機用の広告体取り付け具の好適実施例を図面に基づいて以下詳述する。
図１に示すのは、本考案にかかる自動販売機用の広告体を設置した状態の概略正面図であり、図２は、その側面図、図３は、広告体部の背面図、図４は、取り付け要部の拡大図、図５は、スライド嵌合部の拡大縦断側面図である。
【００１５】  この広告体取り付け具は、広告体１を設けるために自動販売機１０の上面に設置される支持枠体２と、前記自動販売機の左右側面と底面とに掛け渡される固定枠体３とからなり、前記支持枠体２には、前記自動販売機の上部裏面にネジ５Ａ（ここではボルト）によって着脱自在に固定するための固定金具４が設けられ、更に、前記支持枠体２には、その左右方向に長さ調節自在に位置固定できる連結部材６，６が夫々ネジ５Ｂにより固定されており、前記連結部材６，６の外端部に、前記固定枠体３が連結解除自在に連結固定されているものである。前記支持枠体２は、ここではアルミ合金材で構成され、固定枠体３は、アルミ材、鋼材で構成されているが、強度があれば合成樹脂等の適宜の素材に置換してよい。
【００１６】  上記支持枠体２は、起立する矩形の縦枠体２Ａと、横臥する矩形の底枠体２Ｂと、側面視で前記縦枠体２Ａの中ほどと前記底枠体とに渡されて三角形を呈する支え枠２Ｃと、前記縦枠体２Ａの縦方向中ほどで、左右方向（幅方向）に掛け渡された支持桟２Ｄとから構成されている。そして、上記広告体１は、ここでは、合成樹脂シートで構成されているが、布、不織布、機能性紙など適宜の素材で構成される。この実施例では、柔らかな素材であり、広告体１が支持枠体２の上部にのみ固定されていて、背後から風が当たると下方から揺れて風を逃がすように構成されている。勿論、この広告体１は、その表面に所要の広告が印刷されている。
【００１７】  上述した前記自動販売機１０の上部裏面にネジ５Ａで支持枠体２を止めるのは、自動販売機背面には、本来設置箇所のベース、例えば、壁面、柱等に自動販売機１０を固定するためのネジ孔が設けられており、これを利用して図３、図４に示すように、ネジ５Ａで支持枠体２を止めるのである（裏面の二箇所）。
そして、前記支持枠体２への固定金具４の取り付けは、前記底枠体２Ｂの裏面側において、幅方向にスライド可能な可動枠体２Ｆに前記固定金具４をネジ止めすることで、この可動枠体２Ｆを収容する受け枠２Ｅに沿って移動させ、幅方向における位置を調整して、所定の自動販売機１０の幅に適応させ、その背面のネジ孔に対する位置決めが容易に行い得るようにされている。そして、前記固定金具４には、前記ネジ５Ａを挿通するネジ孔が複数（ここでは３箇所）形成されていて、更に、前記ネジ孔に合致させ易いように選択的に使用可能に構成されている。同様に、自動販売機１０の奥行きの調節についても、可動枠体２Ｆと受け枠２Ｅとの構造でスライド調節される。
【００１８】  そして、前記固定枠体３は、前記自動販売機の左右方向に伸びて底面に接当する底部支持部材３Ａと、この自動販売機の左右側面に接当する側面部材３Ｂ，３Ｂとからなり、該側面部材３Ｂ，３Ｂは、前記支持枠体２と底部支持部材３Ａとの連結状態（緊締状態）を調節する調節機構７を備えている。
この調節機構７は、ここでは、前記側面部材３Ｂ，３Ｂをロッドで構成し、その両端部に長目のネジ部を設けて、ここにナットを羅合させ、このナットの締め具合を調節して、連結状態（長さ）を調整するように構成されている。従って、この構造に代え、長さ調整が可能なターンバックルをその側面部材３Ｂ，３Ｂに適用するようにしても同じ作用を得ることができる。
【００１９】  また、図５に示すように、前記支持枠体２と前記連結部材６，６とはスライド自在に嵌合される構造とされており、自動販売機１０の幅に合わせた任意の位置でネジ５Ｂにより位置固定されるように構成されている。
前記連結部材６，６は、具体的には、前記支持枠体２の底部に外角材が幅方向に設けられていて、この外角材にスライド可能に内嵌された内角材として設けられたものであって、その左右方向への抜き差しによって自動販売機１０の幅に対応させた幅方向の長さが調節できるように構成されている。
【００２０】  前記連結部材６，６の内角材と前記支持枠体２の外角材は、自動販売機１０の設置現場において、その左右方向において自動販売機１０の幅に合わせて夫々長さ調節された後に、その左右の外角材と内角材とを、ドリルで貫通させてネジ孔を夫々形成し、ここにネジ５Ｂを挿入して締め付けることで、位置固定する。
また、この支持枠体２の外角材の外側には、アングル材２Ｇが溶接（ロウ付け）で固定され、そのアングル材２Ｇにネジ孔が形成されて、このアングル材２Ｇを自動販売機１０の天井部にネジ５Ｃで止め付けるようにされている（天井部４箇所）。
【産業上の利用分野】
【００２１】  本考案は、既設の自動販売機の上部空間を利用するべく、その上に設置する広告体を、着脱可能に固定するための広告体取り付け具であり、集客力のある各種の自動販売機を用いた広告体に適用できる。
【符号の説明】
【００２２】１：広告体
２：支持枠体
３：固定枠体
３Ａ：底部支持部材
３Ｂ：側面部材
４：固定金具
５Ａ：ネジ
５Ｂ：ネジ
６：連結部材
７：調節機構
【図１】
0003163083.tif 000003
【図２】
0003163083.tif 000004
【図３】
0003163083.tif 000005
【図４】
0003163083.tif 000006
【図５】
0003163083.tif 000007